(57)【要約】【課題】低速なＲＯＭに記録された補正データを高速に読み出す手段を提供する。【解決手段】ＲＯＭデータ転送回路２０は、サブフィールド直交変換処理と映像データのフレーム遅延処理に用いる第１の記録手段７にＲＯＭ８に記録された画像処理に用いる制御データを書き込む。第１のＲＯＭデータ読み出し制御回路２４は、第１の記録手段７に記録された変換データの中から毎フールドで必要なデータを垂直ブランキング等に読み出し第２の記録手段２５に書き込み、第２のＲＯＭデータ読み出し制御回路２６にて読み出し利用するものである。【選択図】図１
2008017168.tif 000002
【特許請求の範囲】
【請求項１】
複数の読み出し及び書き込みの要求を受けて第１の記録手段へのデータの読み出し及び書き込み制御を行うデータ調停回路と、
前記データ調停回路と前記第１の記録手段により映像信号をフレーム遅延制御するフレーム遅延制御回路と、
前記データ調停回路と前記第１の記録手段によりサブフールドデータの直交変換を行うサブフィールド直交変換回路と、
映像信号処理に必要なデータをＲＯＭから読み出し前記データ調停回路を用いて前記第１の記録手段に記憶するＲＯＭデータ転送回路と、
前記データ調停回路を用いてフレームごとに映像処理に必要なデータのみ前記第１の記録手段から読み出し第２の記録手段に書き込む第１のＲＯＭデータ読み出し制御回路と、
前記第２の記録手段から映像信号に従って必要なデータを逐次読み出す第２のＲＯＭデータ読み出し制御回路を備え、
前記第１の記録手段は前記ＲＯＭに比べて高速に動作することを特徴とした映像信号処理装置。
【請求項２】
前記データ調停回路は、前記第１の記録手段に対して、前記ＲＯＭデータ読み出し制御回路から出力される書き込み要求と、前記サブフィールド直交変換回路から出力される読み出し及び書き込み要求と、前記フレーム遅延制御回路から出力される読み出し及び書き込み要求と、前記第１のＲＯＭデータ読み出し制御回路から出力される読み出し要求を入力として前記第１の記録手段に対するデータの読み出し及び書き込み制御の調停を行うことを特徴とする請求項１記載の映像信号処理装置。
【発明の詳細な説明】
【技術分野】
【０００１】
本発明は、ＰＤＰ（プラズマディスプレイパネル）の映像信号処理装置に関する。
【背景技術】
【０００２】
ＰＤＰ（プラズマディスプレイパネル）や液晶パネルを用いた映像表示装置は、薄型化および大画面化が可能であるという利点を有し、開発が進められている。
【０００３】
ＰＤＰや液晶パネルを用いた映像表示装置は、従来から映像表示装置のデバイスとして用いられてきたＣＲＴと比べて、表示デバイスの入出力の非直線特性と映像の階調を適正に再現するためガンマ補正回路等で補正を加える処理がなされる。またこの補正処理は、映像信号のレベル等により、補正回路が参照するテーブル変換データを動的に変更する必要がある。
【特許文献１】特開２００１−１８４０１６号公報
【発明の開示】
【発明が解決しようとする課題】
【０００４】
しかしながら、ガンマ補正回路等で必要とされるテーブル変換データは、例えば１０ビットの映像信号を１６ビットの信号に変換するテーブル変換データは映像の輝度レベル１０２４段階に対して１６ビットの映像レベルのデータを持つ必要があり、合計１６３８４ビットの大きさのテーブル変換データとなる。さらに、このテーブル変換データを赤、青、緑の３原色それぞれに持つと、単色の３倍の合計４９１５２ビットの大きさのテーブル変換データとなる。
【０００５】
このような大きさのテーブル変換データを映像信号の特徴に応じて低速なＲＯＭから読み出す際には、垂直ブランキング期間などに比較的高速なＳＲＡＭ等にデータを一時的に記録し、映像信号処理時にＳＲＡＭから高速にデータを読み出す。ところが、低速なＲＯＭからガンマ補正回路等の大量のテーブル変換データの読み出しには時間がかかり、垂直ブランキング期間等に読み出し動作を完了することが困難となってきている。また、ハイビジョン放送等で用いられる１０８０Ｉや７２０Ｐの映像フォーマットは、従来のＮＴＳＣのフォーマットに比べて、１フレーム中の垂直ブランキング期間の占める割合が極端に短くなってきており、垂直ブランキング期間での低速なＲＯＭからのテーブル変換データの読み出しは非常に困難となってきている。
【０００６】
一方、ガンマ変換用のテーブル変換データのような大きなデータは、複数のフレームに分けて低速なＲＯＭから高速なＳＲＡＭに転送する方法を考えられているが、映像信号の特徴により毎フレームごとにガンマ変換用のテーブル変換データを切り替えることが不可能となり、応答性が悪化してしまう。
【０００７】
本発明の目的は、ガンマ変換等に用いるテーブル変換データが低速なＲＯＭに記録されている際にも、高速にテーブル変換データを利用することを可能とする映像信号処理装置を提供することである。
【課題を解決するための手段】
【０００８】
本発明に係る映像信号処理装置は、複数の読み出し及び書き込みの要求を受けて第１の記録手段へのデータの読み出し及び書き込み制御を行うデータ調停回路と、データ調停回路と第１の記録手段により映像信号をフレーム遅延制御するフレーム遅延制御回路と、データ調停回路と第１の記録手段によりサブフールドデータの直交変換を行うサブフィールド直交変換回路と、映像信号処理に必要なデータをＲＯＭから読み出しデータ調停回路を用いて第１の記録手段に記録するＲＯＭデータ転送回路と、データ調停回路を用いてフレームごとに映像処理に必要なデータのみ第１の記録手段から読み出し第２の記録手段に書き込む第１のＲＯＭデータ読み出し制御回路と、第２の記録手段から映像信号に従って必要なデータを逐次読み出す第２のＲＯＭデータ読み出し制御回路を備えるものである。
【０００９】
また、第１の記録手段はＲＯＭに比べて高速に動作し、データ調停回路は、第１の記録手段に対して、ＲＯＭデータ読み出し制御回路から出力される書き込み要求と、サブフィールド直交変換回路から出力される読み出し及び書き込み要求と、フレーム遅延制御回路から出力される読み出し及び書き込み要求と、第１のＲＯＭデータ読み出し制御回路から出力される読み出し要求を入力として第１の記録手段に対するデータの読み出し及び書き込み制御の調停を行う。
【発明の効果】
【００１０】
本発明によれば、低速なＲＯＭに記録されているデータに高速に読み出すことが可能となる。また、毎フレーム毎に映像信号の特徴に応じて補正に使用するデータの高速な切替も可能となる。さらに、サブフィールド直交変換に必須である記録手段を用いることにより、コストアップなく実現することができる。
【発明を実施するための最良の形態】
【００１１】
（第１の実施の形態）
以下、本発明に係る映像信号処理装置の一例としてプラズマディスプレイ装置における映像信号処理装置について説明する。
【００１２】
図２は、本発明の一実施の形態に係る映像信号処理装置の全体の構成を示すブロック図である。図２の映像信号処理装置は、ＡＤコンバータ１、走査線変換回路２、ガンマ補正回路３、画質補正回路４、サブフィールド変換回路５、データ制御回路６、第一の記録手段７、ＲＯＭ８を含む。
【００１３】
ＡＤコンバータ１には、映像信号ＶＤが入力される。また、水平同期信号Ｈ及び垂直同期信号Ｖが入力され、映像信号ＶＤをデジタル信号に変換する。その画像を走査線変換回路２に入力し、プラズマディスプレイパネルの走査線数に応じた走査線変換が行われる。走査線変換後の映像データはガンマ補正回路３に入力される。
【００１４】
データ制御回路６は、映像信号の特徴に応じた複数のガンマ補正データ等のテーブル変換データを記録したＲＯＭ８から、プラズマディスプレイ装置の電源立ち上げ時等にＲＯＭ８に記録している全てのテーブル変換データＲＤＩを読み出し、第１の記録手段７に記録する。ガンマ補正回路３は、入力された走査線変換後の映像データの特徴に応じて、データ制御回路６からガンマ補正データＧＯを読み出す。この際、データ制御回路６は、ガンマ補正データＧＯとして、ＲＯＭ８から読み出し第一の記録手段７に記録したテーブル変換データをガンマ補正回路３に入力される映像信号に応じて読み出す。この際、データ制御回路６は、ガンマ補正回路３に入力される映像信号に応じて第一の記録手段７に記録したテーブル変換データの所望の領域をガンマ補正データＧＯとして読み出す。
【００１５】
ガンマ補正回路３は、走査線変換後の映像データとデータ制御回路６から読み出されるガンマ補正データＧＯにより映像信号のガンマ補正を行い、ガンマ補正後の映像信号を画質補正回路４へ入力する。画質補正回路４では、映像信号ＤＩの１フレーム遅延した遅延映像信号ＤＯを用いた画質補正処理を行う。水平同期信号Ｈ及び垂直同期信号Ｖに従って、映像データＤＩをデータ制御回路６へ出力し、１フレーム遅延した遅延映像信号ＤＯを受け取る。水平同期信号Ｈ及び垂直同期信号Ｖと映像信号ＤＩと遅延映像信号ＤＯにより画質補正処理を行い、補正後の映像データをサブフィールド変換回路５へ入力する。サブフィールド変換回路５では、水平同期信号Ｈ及び垂直同期信号Ｖと画質補正回路４から出力される画質補正後の映像信号を入力として、映像信号をサブフィールド変換処理を行い、サブフィールドデータＳＦＤをデータ制御回路６に入力する。サブフィールド変換処理の詳細に関しては、後述する。
【００１６】
データ制御回路６では、サブフィールドデータＳＦＤを第一の記録手段７に記録し、サブフィールドデータ読み出しトリガＳＦＴＲＧにより開始する第１の記録手段７からの読み出し制御により、サブフィールド直交変換データＳＦＤＯが出力される。サブフィールド直交変換処理の詳細に関しては、後述する。
【００１７】
データ制御回路６は、第１の処理として、ＲＯＭ８に記録されている全てのテーブル変換データをプラズマディスプレイ装置の電源立ち上げ時等に第１の記録手段７に書き込む処理と、第２の処理として、ガンマ補正回路３からの要求により、映像データの特徴に応じたガンマ補正用のテーブル変換データを映像信号の垂直ブランキング期間等に第１の記録手段７から読み出し、ガンマ補正回路３に供給する処理と、第３の処理として、画質補正回路４から入力される映像データＤＩを第１の記録手段７に書き込み、１フレーム遅延した遅延映像信号ＤＯを読み出し画質補正回路４に供給する処理と、第４の処理として、サブフィールド変換回路５から供給されるサブフィールドデータＳＦＤを第１の記録手段７に書き込み、サブフィールドデータ読み出しトリガＳＦＴＲＧに従って第１の記録手段７からサブフィールドデータを読み出すことによりサブフィールドデータ直交変換データＳＦＤＯを出力する。このように、データ制御回路６では、第１の記録手段７に対して４種類の独立した処理の調停行う。なお、データ制御回路６における調停処理の詳細に関しては後述する。
【００１８】
上記のように、映像信号ＶＤを入力として、データ制御回路６が第１の記録手段７に対して調停処理を行うことにより、テーブル変換データを用いるガンマ変換処理等の処理と、映像データの１フレーム遅延信号を用いた映像処理と、サブフィールドデータの直交変換を１つの記録手段である第１の記録手段７を用いて行うことが可能となる。
【００１９】
図１は、図２に示す映像信号処理装置におけるデータ制御回路６のブロック図である。データ制御回路６、第１の記録手段７、ＲＯＭ８は図２に示すものと同じものである。
【００２０】
図１のデータ制御回路は、ＲＯＭデータ転送回路２０、サブフィールド直交変換回路２１、フレーム遅延制御回路２２、データ調停回路２３、第１のＲＯＭデータ読み出し制御回路２４、第２の記録手段２５、第２のＲＯＭデータ読み出し制御回路２６を含む。
【００２１】
データ調停回路２３は第１の記録手段７に対して、４種類の回路からの要求（要求１）ＲＯＭデータ転送回路２０からの書き込み要求と、（要求２）フレーム遅延制御回路２２からの書き込み及び読み出し要求と、（要求３）サブフィールド直交変換回路２１から書き込みおよび読み出し要求と、（要求４）第１のＲＯＭデータ読み出し制御回路２４からの読み出し要求の調停を行う。データ調停回路２３の調停処理に関する詳細は説明は後述する。
【００２２】
ＲＯＭデータ転送回路２０は、プラズマディスプレイ装置の起動時等にＲＯＭ８に記録されているガンマ補正データ等のテーブル変換データを読み出しデータ調停回路２３へ入力する。データ調停回路２３は、ＲＯＭデータ転送回路２０から入力されるテーブル変換データを第１の記録手段７に書き込む。なお、第１の記録手段７の記録容量に応じて、ＲＯＭ８に記録されている全てのテーブル変換データを第１の記録手段７に記録してもよいし、一部のテーブル変換データを記録してもよい。ＲＯＭ８に記録されている全てのテーブル変換データを第１の記録手段７に記録する場合には、プラズマディスプレイ装置の起動時等に一度だけＲＯＭ８から第１の記録手段７へのデータ転送を行い、プラズマディスプレイ装置が動作している間には、データ転送を行う必要はない。また、ＲＯＭ８に記録されている一部のテーブル変換データを第１の記録手段７に記録する場合には、例えばユーザ設定の変更により、第１の記録手段７に記録されていないテーブル変換データの参照が必要となる場合に、必要となるテーブル変換データが含まれている一連のテーブル変換データをＲＯＭ８から第１の記録手段７に転送した後、第１の記録手段７に新たに記録された所望のテーブル変換データを参照してガンマ変換処理等を行う。
【００２３】
第１の記録手段７に記録されたテーブル変換データは、毎フレーム必要となるテーブル変換データを映像信号の垂直ブランキング期間等に通常の映像信号処理が行われていない期間に、第１のＲＯＭデータ読み出し制御回路２４からデータ調停回路２３に読み出し要求を出力する。データ調停回路２３は、第１のＲＯＭデータ読み出し制御回路２４の要求に従い、第１の記録手段７から所望のテーブル変換データを読み出し、第１のＲＯＭデータ読み出し制御回路２４に対して出力する。第１のＲＯＭデータ読み出し制御回路２４は、データ調停回路２３から入力される毎フレーム必要となるテーブル変換データを、第２の記録手段２５に記録する。第２のＲＯＭデータ読み出し制御回路２６は、第２の記録手段２５に記録されたテーブル変換データを映像信号のレベルに応じて逐次読み出し、ガンマ変換等の処理を行う。
【００２４】
このように、第２の記録手段２５に記録するテーブル変換データは毎フレームごとに更新可能であり、複数のテーブル変換データと他の映像データを記録している第１の記録手段７の記録容量に比べて、第２の記録手段２５の記録容量は遥かに小さな容量でよく、映像信号のガンマ変換等の高速な読み出し処理が必要な場合にも比較的高価なＳＲＡＭを用いることが可能となる。また、第１の記録手段７は、高速に動作し記憶容量も大きい必要があり、ＤＲＡＭやＳＤＲＡＭを用いることが可能である。さらに、プラズマディスプレイ表示装置においては後述するサブフィールド直交変換が必須の処理である。サブフィールド直交変換には、サブフィールドデータを最低１フレーム分記録する必要があり、サブフィールドデータを記録する第１の記録手段７は必ず必要でありかつ記録容量も大きなものが必要となる。サブフィールド直交変換処理に必要な大容量の第１の記録手段７の記録領域の一部にＲＯＭ８のテーブル変換データを記録することにより、ＲＯＭに記録されている比較的大きなデータを記録するための専用の記録手段を用意する必要がない。このように、コストを上げることなく、低速なＲＯＭ上のテーブル変換データを高速な動作可能な第１の記録手段７に記録することにより、垂直ブランキング期間等の限られた期間に毎フレーム毎に必要となるテーブル変換データを高速に読み出すことが可能となる。なお、本実施の形態では、第１のＲＯＭデータ読み出し制御回路２４によりガンマ補正データを第２の記録手段２５に記録する例の説明を行ったが、ガンマ補正データ以外の画質補正等に必要なテーブル変換データが複数必要な場合においても、第２の記録手段２５と第２のＲＯＭデータ読み出し制御回路２６を複数持つことにより対応可能である。
【００２５】
フレーム遅延制御回路２２は、水平同期信号Ｈ及び垂直同期信号Ｖに従って映像信号ＤＩをデータ調停回路２３に入力する。データ調停回路２３は、フレーム遅延制御回路２２から入力される映像信号を第１の記録手段７に記録する処理と、１フレーム遅延した遅延映像信号ＤＯを読み出しフレーム遅延制御回路２２へ出力する処理を行い、結果として映像信号ＤＩに対して１フレーム遅延した遅延映像信号ＤＯを得る。なお、本実施の形態では、１フレーム遅延した映像信号を画質補正回路４で使用しているが、走査線変換回路２において使用してもよい。
【００２６】
サブフィールド直交変換回路２１は、サブフィールドデータＳＦＤとサブフィールドデータ読み出しトリガＳＦＴＲＧと水平同期信号Ｈ及び垂直同期信号Ｖを入力として、サブフィールドデータＳＦＤをデータ調停回路２３に入力する。データ調停回路２３は、水平同期信号Ｈ及び垂直同期信号Ｖに従ってサブフィールド直交変換回路２１から入力されるサブフィールドデータＳＦＤを第１の記録手段７へ書き込む処理を行う。また、サブフィールドデータ読み出しトリガＳＦＴＲＧに従って、第１の記録手段７からサブフィールドデータを読み出し、結果としてサブフィールドデータを直交変換したサブフィールド直交変換データＳＦＤＯを得る。
【００２７】
図３にサブフィールドデータの直交変換処理のタイミングチャートを示す。図３のタイミングチャートにおいて、映像データ入力は画質補正回路４から出力されサブフィールド変換回路５に入力される映像信号を（図３の（１））、ＳＦＤはサブフィールド変換回路５にて映像データ入力をサブフィールド変換後のサブフィールドデータを（図３の（２））、１次直交変換出力はサブフィールド直交変換回路２１にてサブフィールドデータＳＦＤを時系列にサブフィールド毎に並べかえられた１次直交変換出力を（図３の（３））、ＳＦＴＲＧはサブフィールドデータ読み出しトリガを（図３の（４））、ＳＦＤＯはサブフィールドデータ読み出しトリガＳＦＴＲＧに従って直交変換されたサブフィールド直交変換データを示す（図３の（５））。なお、図３のタイミングチャートでは、映像データ入力は４ビットの映像信号で、サブフィールド数も４の場合で、１６画素の映像データ入力が入力された場合のタイミングチャートを示している。映像データ入力の分解能と画素数及びサブフィールド数が図３のタイミングチャートの例と異なる場合においても、同様な方式でサブフィールドデータの直交変換は可能である。
【００２８】
映像データ入力は、時系列にｉｍｇ０、ｉｍｇ１、ｉｍｇ２の順にサブフィールド変換回路５に入力される。各映像データは４ビットで構成されている。画素単位の映像データ入力をサブフィールド変換回路５にてサブフィールド変換し、画素単位のサブフィールドデータＳＦＤが得られる。サブフィールドデータＳＦＤは、映像データ入力と同様に、時系列にｓｆ０、ｓｆ１、ｓｆ２の順に出力され、各データは４ビットのサブフィールドデータとして構成される。ｓｆ０［０］、ｓｆ０［１］、ｓｆ０［２］、ｓｆ０［３］はそれぞれ、映像入力データｉｍｇ０のサブフィールド変換後のデータＳＦ０におけるサブフィールド０から３の各サブフィールドのデータを示す。サブフィールドデータＳＦＤをサブフィールド直交変換回路２１にて１次直交変換し、１次直交変換出力が得られる。１次直交変換出力は、画素単位のサブフィールドデータＳＦＤを４画素を一組にしてサブフィールド毎に並び替えたものとなる。つまり、最初の出力として０サブフィールドのデータを４画素分（ＳＦ０〜ＳＦ３に相当）を集めたデータとなっており、続くデータは１サブフィールド、２サブフィールド、３サブフィールドのデータを４画素分集めた形のデータが続く。その後、ｓｆ４〜ｓｆ７の４画素分のデータをサブフィールド順に並び替えたデータが続く。なお、本実施の形態においては、昇順にサブフィールドのデータを並べているが、降順に並べることも可能である。１次直交変換出力を第１の記録手段７に書き込み、サブフィールドデータ読み出しトリガＳＦＴＲＧに従ってサブフィールド毎のデータを連続して読み出す。０サブフィールドのデータを読み出す際には、ｓｆ０［０］からｓｆ３［０］に続いて３回の読み出しによりｓｆ１５［０］までの４つのデータ（０サブフィールドの１６画素分の連続データ）を連続して読み出す。同様にして、サブフィールドデータ読み出しトリガＳＦＴＲＧに従って全てのサブフィールドのデータを連続して読み出す。このようにして、映像データ入力は、サブフィールド変換後に１次直交変換を経て第１の記録手段７に書き込まれた後、同一サブフィールドのデータが連続するように読み出し制御を行い、結果としてサブフィールドデータの直交変換が行われる。なお、映像データ入力をサブフィールド変換する際に、サブフィールド変換テーブルデータをＲＯＭ８に記録し、ガンマ補正データと同様に第１の記録手段に記録したサブフールド変換テーブルデータを使用して変換してもよい。
【００２９】
図４に、図１のデータ制御回路におけるデータ調停回路のブロック図を示す。図４のデータ調停回路は、緩衝制御回路３０と第１の緩衝記録手段３１と第２の緩衝記録手段３２と第３の緩衝記録手段３３と第４の緩衝記録手段３４と第５の緩衝記録手段３５を含む。なお、第１の記録手段７とＲＯＭ８とＲＯＭデータ転送回路２０とフレーム遅延制御回路２２とデータ調停回路２３とサブフィールド直交変換回路２１と第１のＲＯＭデータ読み出し制御回路２４と第２の記録手段２５は、図１及び図２に示すものと同一のものを示す。
【００３０】
ＲＯＭデータ転送回路２０は、ＲＯＭ８から読み出したテーブル変換データＲＤＩを第１の緩衝記録手段３１に書き込む。第１の緩衝記録手段３１は、ＲＯＭデータ転送回路２０のデータ出力速度と第１の記録手段７の書き込み速度の差を吸収するために用いる。ＲＯＭ８からテーブル変換データを読み出した後の第１の記録手段への書き込み処理は、他の第１の記録手段７への書き込みまたは読み出しに比べて最優先で行わる。
【００３１】
緩衝制御回路３０は、第１の記録手段７に記録されているテーブル変換データに関して、毎フレーム毎に必要となるテーブル変換データを垂直ブランキング期間等の映像信号が存在しない期間に第１の記録手段７から読み出し、第２の緩衝記録手段３２に書き込む。このように、垂直ブランキング期間等の映像信号が存在しない期間に第１の記録手段７から読み出し動作を行うことにより、他の第１記録手段に対する書き込みまたは読み出し要求に対する処理が重ならないように考慮されている。第１のＲＯＭデータ読み出し制御回路２４は第２の緩衝記録手段３２に書き込まれたデータを所望のデータ系列に並べ直した後に第２の記録手段２５に記録し、テーブル変換データを必要とするガンマ補正回路等が第２の記録手段２５に記録されたデータを適時使用する。ここで、第２の緩衝記録手段３２は、第１の記録手段の読み出し速度と第１のＲＯＭデータ読み出し制御回路２４の動作速度の差を吸収するために使用する。なお、本実施の形態では、第１のＲＯＭデータ読み出し制御回路２４と第２の記録手段２５が１組存在する場合の動作説明を行ったが、第１のＲＯＭデータ読み出し制御回路２４と第２の記録手段２５が２組以上存在し、共通の第２の緩衝記録手段３２を用いて第１の記録手段７に記録している別のテーブル変換データを読み出して使用することも可能である。
【００３２】
フレーム遅延制御回路２２は、映像信号ＤＩを入力として、第３の緩衝記録手段３３に映像信号を書き込む。緩衝制御回路３０は第３の緩衝記録手段３３に書き込まれた映像データを読み出し、第１の記録手段７に書き込む。さらに、緩衝制御回路３０は、１フレーム遅延した映像データを第１の記録手段７から読み出し第４の緩衝記録手段３４に書き込む。フレーム遅延制御回路２２は、第４の緩衝記録手段３４に書き込まれた１フレーム遅延した映像信号を読み出し、遅延映像信号ＤＯとして出力する。第３の緩衝記録手段３３はフレーム遅延制御回路２２の書き込み速度と第１の記録手段７の書き込み速度の差を吸収するために使用する。第４の緩衝記録手段３４はフレーム遅延制御回路２２の読み出し速度と第１の記録手段７の読み出し速度の差を吸収するために使用する。
【００３３】
サブフィールド直交変換回路２１は、サブフィールドデータＳＦＤを入力として１次直交変換後のデータを第５の緩衝記録手段３５に書き込む。緩衝制御回路３０は、第５の緩衝記録手段３５から１次直交変換後のデータを読み出し、第１の記録手段７に書き込む。サブフィールド直交変換回路２１は、サブフィールドデータ読み出しトリガＳＦＴＲＧに従って、サブフィールドデータの読み出し要求を緩衝制御回路３０へ出力し、緩衝制御回路３０は第１の記録手段７からサブフィールドデータの読み出しを行い、結果として直交変換後のサブフィールド直交変換データＳＦＤＯを出力する。
【００３４】
緩衝制御回路３０は、フレーム遅延制御回路２２とサブフィールド直交変換回路２１から第１の記録手段７への書き込み及び読み出し要求に対して調停処理を行い、第１の記録手段への書き込み及び読み出し処理を制御する。
【００３５】
なお、サブフィールドデータ読み出しトリガＳＦＴＲＧが、映像信号の同期信号とは無関係に発生する場合には、垂直ブランキング期間にサブフィールドデータ読み出しトリガＳＦＴＲＧが発生する場合がある。この場合、第１の記録手段７に対して、サブフィールドデータ読み出し要求と第１のＲＯＭデータ読み出し制御回路２４からのデータ読み出し要求が重なるが、サブフィールドデータの読み出し要求は待たすことのないように、サブフィールドデータ読み出し要求の優先順位を高く設定する必要がある。これは、サブフィールドデータ読み出し要求が入力された場合には、一定期間中にサブフィールド直交変換データＳＦＤＯをプラズマディスプレイ装置のデータドライバーに出力する必要があるからである。このため、第１のＲＯＭデータ読み出し制御回路２４がテーブル変換データを第１の記録手段７から読み出している期間に、サブフィールドデータ読み出しトリガＳＦＴＲＧがサブフィールド直交変換回路２１に入力された場合には、ＲＯＭデータ読み出し制御回路２４によるテーブル変換データの読み出し処理を中断して、サブフィールド直交変換データＳＦＤＯの読み出し処理を開始する。サブフィールド直交変換データＳＦＤＯの読み出しが終了次第、ＲＯＭデータ読み出し制御回路２４によるテーブル変換データの読み出し処理を再開する。
【００３６】
なお、第１の記録手段としてＳＤＲＡＭまたはＤＲＡＭを使用した場合には、緩衝制御回路３０において、第１の記録手段に対して書き込みまたは読み出し制御が行われていない期間を利用して、ＳＤＲＡＭまたはＤＲＡＭのリフレッシュ処理を行う。
【００３７】
以上のように、本発明にかかる映像信号処理装置は、低速なＲＯＭに記録されているデータに高速に読み出すことが可能となる。また、毎フレーム毎に映像信号の特徴に応じて補正に使用するデータの高速な切替も可能となる。さらに、サブフィールド直交変換に必須である記録手段を用いることにより、コストアップなく実現することができるものである。これにより、低階調部における階調性を改善することが可能になり、例えば、階調数を２０４８階調から３０７２階調などに増加させることが可能になる。また、調停を行うことにより、表示システムを破綻させることなく、階調性を向上することが可能になるものである。
【産業上の利用可能性】
【００３８】
本発明は、ＰＤＰ（プラズマディスプレイパネル）等の映像信号処理装置において有用である。
【図面の簡単な説明】
【００３９】
【図１】データ制御回路のブロック図
【図２】本発明の一実施の形態に係る映像信号処理装置の構成を示すブロック図
【図３】サブフィールドデータの直交変換処理のタイミングチャート
【図４】データ制御回路におけるデータ調停回路のブロック図
【符号の説明】
【００４０】
６    データ制御回路
７    第１の記録手段
８    ＲＯＭ
２０    ＲＯＭデータ転送回路
２１    サブフィールド直交変換回路
２２    フレーム遅延制御回路
２３    データ調停回路
２４    第１のＲＯＭデータ読み出し制御回路
２５    第２の記録手段
２６    第２のＲＯＭデータ読み出し制御回路
Ｈ    水平同期信号
Ｖ    垂直同期信号
ＳＦＴＲＧ    サブフィールドデータ読み出しトリガ
【図１】
2008017168.tif 000003
【図２】
2008017168.tif 000004
【図３】
2008017168.tif 000005
【図４】
2008017168.tif 000006